(57)【特許請求の範囲】
【請求項１】
屈曲形成されたワイヤフレームと、前記ワイヤフレームの一端側に取り付けた少なくとも１枚の第１のスピナーブレードと、前記ワイヤフレームの他端側に取り付けたヘッド部と、前記ヘッド部に設けたフックを備えたスピナーベイトにおいて、
前記ヘッド部が屈曲形成され、屈曲部において前記ワイヤフレームの前記他端側と接続されていることを特徴とするスピナーベイト。
【請求項２】
屈曲形成された前記ヘッド部の一端側部材の素材が第１の素材で形成され、前記ヘッド部の他端側部材の素材が前記第１の素材よりも重い第２の素材で形成され、異なる素材からなる部材をつなぎ合わせたものであるハイブリッド型のヘッド部とした、請求項１に記載のスピナーベイト。
【請求項３】
前記ワイヤフレームの中間部のいずれかの箇所に少なくとも１枚の第２のスピナーブレードを設けるとともに、前記ヘッド部に少なくとも１枚の第３のスピナーブレードを設けたことを特徴とする請求項１または２に記載のスピナーベイト。
【請求項４】
前記ヘッド部の一端側に前記フックが取り付けられ、前記ヘッド部の他端側に前記第３のスピナーブレードが取り付けられたことを特徴とする請求項３に記載のスピナーベイト。
【請求項５】
前記ワイヤフレームの他端側への略延長方向に、前記ヘッド部の前記他端側に取り付けられている前記第３のスピナーブレードが配置されていることを特徴とする請求項４に記載のスピナーベイト。
【請求項６】
前記ワイヤフレームの他端側への略延長方向に、前記ヘッド部の前記一端側に取り付けられている前記フックが配置されていることを特徴とする請求項４に記載のスピナーベイト。
【請求項７】
屈曲形成された前記ヘッド部の一端側に前記フックとともに第１の疑似餌が取り付けられ、前記ヘッド部の他端側に第２のフックとともに第２の疑似餌が取り付けられたことを特徴とする請求項１または２に記載のスピナーベイト。
【発明の詳細な説明】
【技術分野】
【０００１】
本発明は、釣り用ルアー、特にスピナーブレードおよび疑似餌を備えたコンビネーション型のルアーであるスピナーベイトと呼ばれる釣用ルアーに関する。
【背景技術】
【０００２】
釣り用ルアーのうち特に「スピナーベイト」と呼ばれるものは、ワイヤフレームの先端に、スピナーブレードと呼ばれる流線形をした金属光沢のある金属小板が取り付けられており、そのスピナーブレードが水中で回転運動を起こしながら光を反射し、あるいは独特な振動波や音、泡を出すことにより極めて高い集魚効果を発揮する。スピナーベイトの対象魚としてはブラックバスをはじめ、サケ、マス等があり、これらの対象魚に対して上述のような高い集魚効果を発揮する。
【０００３】
図７は、従来型のスピナーベイト１０の構成例を簡単に示す図である。
図７に示すように、従来型のスピナーベイト１０は屈曲形成されたワイヤフレーム１を有し、屈曲部２にライン（図示せず）が連結されている。ワイヤフレーム１の一端にはスピナーブレード３が回転自在に取り付けられており、ワイヤフレーム１の他端にヘッド部４が取り付けられている。ヘッド部４にはスカート５とフック６が取り付けられている。ワイヤフレーム１の屈曲部２に接続されたライン（釣り糸）をリーリングすることによりスピナーブレード３が回転および揺動し、スピナーベイト１０全体がベイトフィッシュをイメージさせるように泳動する仕組みとなっている。
【０００４】
スピナーブレード３は、この図示例では略木の葉状を呈する金属小板によって構成される。このスピナーブレード３は適度に湾曲形成され、その表面は金属光沢を有する。スピナーブレード３は回転自在なスイベル７を介してワイヤフレーム１と連結されている。
【０００５】
スカート４はフック５を覆うように装着され、たとえばラバーもしくはプラスチックを細長く切ったもので、水中でユラユラと動くようになっている。
【０００６】
ヘッド部４はたとえば小魚に似せて作られており、対象魚にとって、餌となる魚が水中を泳いでいるように錯覚するとともに、スピナーブレード３が水中で回転運動を起こしながら光を反射し、あるいは独特な振動波や音、泡を出すことにより対象魚が敏感に反応するように集魚効果を向上せしめている。
【０００７】
スピナーベイト１０は水中であたかも餌となる魚が泳動しているように偽装するため、水中での姿勢が重要である。
スピナーベイト１０は、水中に投入したときには、ヘッド部４が錘となって、水底へと沈んでいく。そして、沈んだ後に、対象魚にとって水中で小魚が泳いでいるように疑似餌を泳動させるためライン（釣り糸）を引き、集魚効果を発揮するものである。
【０００８】
また、ユーザが水中へ投げ入れる際の空中の姿勢が安定するように配慮することも重要である。空中での姿勢においてもヘッド部４が錘となって、ヘッド部４を先頭にして空中を飛んでいく。常にヘッド部４が先頭にあれば空中での姿勢も安定しやすくなる。
【先行技術文献】
【特許文献】
【０００９】
【特許文献１】特開２００２−１４２６１５号公報
【特許文献２】特開２００４−０４９１２５号公報
【発明の概要】
【発明が解決しようとする課題】
【００１０】
スピナーベイトの価値は、反射光や振動波や音や泡などにより如何に対象魚の興味をそそるか、そして、疑似餌の動きなどにより如何に餌となる小魚が水中を泳いでいるように錯覚させることにある。
そこで、スピナーベイトでは、スピナーブレードの働きにより反射光や振動波や音や泡などにより対象魚の興味をそそるため、スピナーブレードの数を増やすことは重要である。
図７における従来型のスピナーブレード１０において、ワイヤフレーム１の一端に取り付けているスピナーブレード３に対して、ワイヤフレーム１の中間部分にもう一枚スピナーブレード３ａを設けるような工夫をしたものがある。
【００１１】
しかし、スピナーブレード３ａの数を増やすことは、複数個のスピナーブレード３，３ａが近接し合い、各々のスピナーブレードが受ける水流が相互に干渉してしまい、円滑な動きをとることができない等の問題が発生する。そのため、従来のスピナーベイト１０ではスピナーブレードはせいぜい２枚設けることが事実上の限界であった。もし、従来のスピナーベイト１０でさらに多くのスピナーブレードを設けるためには、ワイヤフレーム１の中間部分の長さを長くせざるを得ず、スピナーベイト全体が不要に大きくなり、かえって操作しづらく扱いにくくなってしまうという問題が発生してしまう。
【００１２】
そこで、本出願の発明者岩城忠照は、より集魚効果の高いスピナーベイトの開発に取り組む中、各々のスピナーブレードが受ける水流が相互に干渉しないように適切な距離を離して複数個のスピナーブレードを設けることができ、対象魚の集魚効果をさらに効果的に向上させることができる構造のスピナーベイトを発明するに至った。
【００１３】
ここで、スピナーベイト１０はワイヤフレーム１が屈曲形成されており、両端にそれぞれ複数個の部材が取り付けられた構造をしているため、重心の位置が不適切であると、スピナーベイト１０全体が不安定となり、スピナーベイト全体の水中での姿勢の安定、水中での泳動状態、空中での姿勢の安定が得られない。
【００１４】
そこで、本出願の発明者岩城忠照は、上記した複数個のスピナーブレードの配置を考察する中、スピナーベイト全体の水中での姿勢の安定、水中での泳動状態、空中での姿勢の安定を実現するためヘッド部の重心のあり方についても研究を進め、重心の位置に関する調整を実現した構造のスピナーベイトを発明するに至った。
【００１５】
本発明は、相互に干渉し合うことない配置によって、より多い枚数のスピナーブレードを搭載した新しく優れたスピナーベイトを提供することを目的とする。
また、本発明は、重心の位置を調整し、スピナーベイト全体の水中での姿勢の安定、水中での泳動状態、空中での姿勢の安定が得られるよう工夫した新しく優れたスピナーベイトを提供することを目的とする。
【課題を解決するための手段】
【００１６】
上記目的を達成するため、本発明のスピナーベイトは、屈曲形成されたワイヤフレームと、前記ワイヤフレームの一端側に取り付けた少なくとも１枚の第１のスピナーブレードと、前記ワイヤフレームの他端側に取り付けたヘッド部と、前記ヘッド部に設けたフックを備えたスピナーベイトにおいて、前記ヘッド部が屈曲形成され、屈曲部において前記ワイヤフレームの前記他端側と接続されていることを特徴とするスピナーベイトである。
上記構成のように、ヘッド部を屈曲形成したものとし、屈曲部においてワイヤフレームと接続することにより、コンパクトな構成においてヘッド部の両先端において十分な距離を保つことができ、スピナーベイトにおいて部材構成の自由度を増すことができる。
【００１７】
次に、上記スピナーベイトにおいて、屈曲形成されている前記ヘッド部の一端側部材の素材が第１の素材で形成され、前記ヘッド部の他端側部材の素材が前記第１の素材よりも重い第２の素材で形成され、異なる素材からなる部材をつなぎ合わせたものであるハイブリッド型のヘッド部とすることが好ましい。
上記構成のようにヘッド部を異なる素材からなる部材をつなぎ合わせたものであるハイブリッド型のヘッド部とすることにより、いわゆる二股に割れているヘッド部の重心を他端側、つまり一方に偏らせることにより重心位置は安定する。もし、二股に割れているヘッド部の一端側、他端側のいずれにも適度に重量が分散したものであれば、両者がバランスして回転が収まらず水中や空中での姿勢が安定しない。しかし、二股に割れているヘッド部の重心が一方に偏っている場合、重心がある他端側の運動が支配的となり、重心がない一端側の運動は追随することとなり、水中や空中での姿勢が安定しやすい。
【００１８】
次に、上記のように工夫したヘッド部を採用すれば、スピナーベイトにおいて部材構成の自由度を増すことができる。たとえば、ワイヤフレームの中間部のいずれかの箇所に少なくとも１枚の第２のスピナーブレードを設けるとともに、ヘッド部に少なくとも１枚の第３のスピナーブレードを設ける構成が可能となる。
【００１９】
たとえば、ヘッド部の一端側にフックが取り付けられ、ヘッド部の他端側に第３のスピナーブレードが取り付けられた構成がある。
一つの構成例としては、ワイヤフレームの他端側への略延長方向に、ヘッド部の他端側に取り付けられている第３のスピナーブレードを配置する構成がある。
また、他の構成としては、ワイヤフレームの他端側への略延長方向に、ヘッド部の一端側に取り付けられているフックを配置する構成がある。
このように３か所においてスピナーブレードを配置することができ、各々のスピナーブレードは適度に離隔しているので、互いに干渉し合うことなく、３枚のスピナーブレードが水中において自在に回転したり揺動したりすることができる。
【００２０】
また、上記構成のように屈曲形成したヘッド部を採用すれば、スピナーブレード以外にも部材を取り付けることが可能である。たとえば、屈曲形成されたヘッド部の一端側にフックとともに第１の疑似餌を取り付け、ヘッド部の他端側に第２のフックとともに第２の疑似餌を取り付ける構成も可能である。
【発明の効果】
【００２１】
本発明のスピナーベイトによれば、ヘッド部を屈曲形成したものとし、屈曲部においてワイヤフレームと接続することにより、コンパクトな構成においてヘッド部の両先端において十分な距離を保つことができ、スピナーベイトにおいて部材構成の自由度を増すことができる。
たとえば、スピナーブレードを３か所以上に設けることができ、それぞれのスピナーブレードが相互に干渉し合うことない配置とすることができ、より多い枚数のスピナーブレードを搭載した集魚効果に優れたスピナーベイトを提供することができる。
また、本発明は、いわゆる二股に分かれているヘッド部の構成としつつ、ヘッド部を異なる２種類の素材からなる部材をつなぎ合わせたものであるハイブリッド型のヘッド部とすることにより、重心の位置をヘッド部の一方に偏らせることができ、重心の位置が安定し、スピナーベイト全体の水中での姿勢の安定、水中での泳動状態、空中での姿勢の安定が得られる。
【発明を実施するための形態】
【００２２】
以下、本発明のスピナーベイトの実施例を説明する。なお、本発明はこれらの構成例に限定されるものではない。
【実施例１】
【００２３】
実施例１は、本発明のスピナーベイトの基本構成例および基本成形工法を示している。
まず、本発明のスピナーベイト１００の基本構成について説明する。
図１および図２は、本発明のスピナーベイト１００全体の構成を模式的に示した図である。なお、図１は、スピナーベイト１００のフック１３０が分かりやすいように疑似餌１３１を省略して図示しており、図２は疑似餌１３１を装着した状態を図示している。
【００２４】
実施例１の構成例において、図１、図２に示すように、スピナーベイト１００は、ワイヤフレーム１１０、ヘッド部１２０、フック１３０、疑似餌１３１、第１のスピナーブレード１４０、第２のスピナーブレード１５０、第３のスピナーブレード１６０を備えた構造となっている。
ワイヤフレーム１１０は、たとえば、硬質で強度の大きなステンレス鋼やチタン鋼などの金属で形成されており、中間に設けた屈曲部１１１において曲げられ、ワイヤフレーム１１０全体としては略Ｌ字型に屈曲形成されている。
【００２５】
ワイヤフレーム１１０は、屈曲部１１１を挟んで、一端１１２および他端１１３が形成されている。
ワイヤフレーム１１０の屈曲部１１１には略輪状にいわゆる溜まりが設けられており、この屈曲部１１１には図示しないライン（釣り糸）が結び付けられる。
【００２６】
ワイヤフレーム１１０の一端１１２には第１のスピナーブレード１４０を支持するためのスイベル１４１が少なくとも１つ装着されている。スイベル１４１は回転自在の部材であり、第１のスピナーブレード１４０をスイベル１４１に取り付けることで回転自在に支持される。
【００２７】
一方、ワイヤフレーム１１０の他端１１３にはヘッド部１３０が設けられている。後述するようにヘッド部１３０はいわゆる二股に分かれた構造をしている。
【００２８】
また、ワイヤフレーム１１０の中間部には第２のスピナーブレード１５０を取り付けるためのクレビス１５１が少なくとも１つ装着されている。第２のスピナーブレード１５０をクレビス１５１に取り付けることでワイヤフレーム１１０の中間部分を自在に移動・回転可能に支持される。この構成例ではクレビス１５１は一つのみ設けられ、第２のスピナーブレード１５０は一枚のみ設けられた例となっている。
【００２９】
次に、ヘッド部１２０は、全体としては略Ｌ字型に屈曲形成されており、いわゆる二股構造となっている。屈曲部１２１においてワイヤフレーム１１０の他端側１１３と接続されている。
ヘッド部１２０は屈曲部１２１を挟んで、一端側部材１２０ａおよび他端側部材１２０ｂが形成されている。二股に分かれたヘッド部１２０は屈曲部１２１を挟んで一端１２２および他端１２３が形成されている。
【００３０】
なお、ヘッド部１２０は、一つの部材を曲げて製作しても良いが、２つの異なる部材を貼り合せることで製作しても良い。また、一つの基材となる部材を屈曲した形で形成して芯材とし、屈曲部１２１を挟んで異なる素材により包んで全体を二股に形成しても良い。
【００３１】
ここでは、ヘッド部１２０の一端側部材１２０ａの素材が第１の素材で形成され、ヘッド部１２０の他端側部材１２０ｂの素材が第１の素材よりも重い第２の素材で形成され、異なる素材からなる部材をつなぎ合わせたものであるハイブリッド型のヘッド部とした構成例として説明する。
【００３２】
一端側部材１２０ａの素材である第１の素材はたとえばプラスチック、アルミニウムなど比較的軽い素材とし、他端側部材１２０ｂの素材である第２の素材はたとえば鉄、鉛合金、真鍮など比較的重い素材とし、いわゆる二股に割れているヘッド部１２０の重心を他端側部材１２０ｂに偏ったものとなっている。
【００３３】
このようにヘッド部１２０を重さの異なる素材をつなぎ合わせたハイブリッド型とすることにより、いわゆる二股に割れているヘッド部１２０の重心を偏らせることができ、重心位置は安定する。もし、二股に割れているヘッド部１２０の一端側部材１２０ａ、他端側部材１２０ｂのいずれも鉄などの重い素材で形成すると、あたかも「やじろべえ」のように両者がバランスしてしまって回転が収まらず水中や空中での姿勢が安定しないという問題が生じるおそれがある。しかし、二股に割れているヘッド部１２０の重心が一方に偏っている場合は、重心がある側の部材（ここでは他端側部材１２０ｂ）の運動が支配的となり、重心がない側の部材（ここでは一端側部材１２０ａ）の運動は追随することとなり、水中や空中での姿勢が安定しやすくなるという効果が得られる。
【００３４】
図１の構成例では、ヘッド部１２０の一端１２２にはフック１３０が取り付けられている。また、フック１３０には疑似餌１３１が装着されている。
疑似餌１３１は、フック１３０を覆うように装着される。この疑似餌１３１は、たとえばラバーもしくはプラスチックを細長く切ったもので、水中でユラユラと動くようになっており、対象魚にとってこの疑似餌１３１はゴカイなどの餌と勘違いする。図２の例では細かい毛状のものが多数設けられたいわゆる「フラスカート」と呼ばれるものとなっている。
【００３５】
対象魚はスピナーブレード１４０、１５０、１６０などの集魚効果によりスピナーベイトに導かれ、最終的にはスカートなどの疑似餌を餌と思い込んで喰らいついてフック１３０を飲み込んで釣られることとなる。
【００３６】
次に、本発明のスピナーベイト１００において設けられている複数枚のスピナーブレードについて説明する。本実施例１ではスピナーベイト１００は３枚のスピナーブレードが設けられている。それぞれ、第１のスピナーブレード１４０、第２のスピナーブレード１５０、第３のスピナーブレード１６０である。
【００３７】
第１のスピナーブレード１４０は、スイベル１４１を介してワイヤフレーム１１０の一端１１２に設けられ、回転自在に支持されている。この構成例ではスイベル１４１は一つのみ設けられ、第１のスピナーブレード１４０は一枚のみ設けられた例となっている。
【００３８】
第２のスピナーブレード１５０は、クレビス１５１を介してワイヤフレーム１１０の中間部分に設けられ、回転自在に支持されている。この構成例ではクレビス１５１は一つのみ設けられ、第２のスピナーブレード１５０は一枚のみ設けられた例となっている。
【００３９】
第３のスピナーブレード１６０は、スイベル１６１を介してヘッド部１２０の他端１２２の先端に設けられ、回転自在に支持されている。この構成例ではスイベル１６１は一つのみ設けられ、第３のスピナーブレード１６０は一枚のみ設けられた例となっている。
【００４０】
それぞれのスピナーブレード１４０、１５０、１６０は、この図示例では略木の葉状の形状の金属板片によって構成されている。このブレードは凸状に適度に湾曲形成され、金属光沢を有している。大きさ・形状については、複数枚のスピナーブレードがそれぞれ異なる大きさ・形状でも良いし、そのうち幾つかは同じ大きさ・形状であっても良い。
【００４１】
ここで、本発明のスピナーベイト１００において、スピナーブレードを３枚設けたことについて説明する。
スピナーブレードは、水中で回転運動を起こしながら光を反射し、あるいは独特な振動波や音、泡を出すことにより極めて高い集魚効果を発揮するため、スピナーブレードは１枚よりも２枚設けられていた方が高い集魚効果を得ることができる。また、同一カ所に複数枚のスピナーブレードを設けるより、スピナーベイト１００に分散して複数個所に設けた方が高い集魚効果を得ることができる。
【００４２】
従来のスピナーベイトではスピナーブレードは１枚または２枚設けられているに過ぎなかった。それは、比較的小さな構造物である従来型のスピナーベイトにおいてはワイヤフレーム１１０の一端の１か所または中間部分にもう一か所のせいぜい２か所程度した設けるスペースがなかった。なお、フックと疑似餌と同じ個所にスピナーブレードを設けると集魚された対象魚が疑似餌とフックに喰らいつきを妨害してしまうこともあるため、従来型のヘッド部には直接スピナーブレードを設ける箇所としては適切な箇所とは言えなかった。
【００４３】
しかし、本発明のスピナーベイト１００では、ヘッド部１２０が二股に分かれ、一方をフック１３０と疑似餌１３１を取り付け、他方に第３のスピナーブレード１６０を取り付けることを可能とした構造となっている。
【００４４】
図１、図２のように、ヘッド部１２０を屈曲形成した二股構造のものとし、コンパクトな構成においてヘッド部１２０の両先端において十分な距離を保つことができ、一方にはフック１３０と疑似餌１３１を取り付け、他方に第３のスピナーブレード１６０を取り付けることができ、部材構成の自由度を増すことができる。
【００４５】
なお、スピナーブレードを３か所以上に設ける場合、それぞれのスピナーブレードが相互に干渉し合うことないように配置する必要があるが、本発明のスピナーベイト１００であれば、コンパクトなスピナーベイト１００において、適切に距離を確保しつつ分散して設けることができ、多い枚数のスピナーブレードの搭載が可能となり、集魚効果に優れたスピナーベイト１００とすることができる。
【００４６】
次に、本発明のスピナーベイト１００の空中および水中での姿勢の安定について説明しておく。
【００４７】
上記したように、この構成例では、ヘッド部１２０を重さの異なる素材をつなぎ合わせたハイブリッド型となっており、いわゆる二股に割れているヘッド部１２０の重心が重い第２の素材で構成されているヘッド部１２０の他端側部材１２０ｂに偏っている。そのため、本発明のスピナーベイト１００を空中に投げ出した場合や水中をリーリングする場合など、ヘッド部１２０に関しては重心がある側の部材（ここでは他端側部材１２０ｂ）の運動が支配的となり、重心がない側の部材（ここでは一端側部材１２０ａ）の運動は追随するのみで、ヘッド部１２０が空中で回転したりすることはなく、安定した姿勢で飛行することができる。
そのため、陸上にいるユーザが本発明のスピナーベイト１００を竿から投げ出した際の空中姿勢は、重心がある側の部材（ここでは他端側部材１２０ｂ）が空中を飛んでいく運動の軌跡となり、ヘッド部１２０が回転することはない。空中での姿勢は陸上にいるユーザが投げる投げ方などの条件によるが、一度空中へ放出された本発明のスピナーベイト１００は、ヘッド部１２０の重心がある側の部材の運動の軌跡に沿って安定した姿勢で飛んでいく効果が得られる。
【００４８】
また、水中でリーリングする際にも本発明のスピナーベイト１００の姿勢は安定している。
図３は、陸上にいるユーザが水中に沈んだ本発明のスピナーベイト１００をリーリングした際の水中の姿勢を簡単に説明する図である。スピナーベイト１００において、ラインが結ばれているワイヤフレーム１１０の屈曲部１１１を先頭にして引かれてゆくが、重心が集中しているヘッド部１２０の他端側部材１２０ｂは下側に位置し、また、水中では水流の抵抗があるため、軽いスピナーブレード１４０、１５０、１６０は、後方に流れつつ引かれてゆく。このように、スピナーベイト１００全体が不規則に回転してもつれることなく、水中で安定した姿勢でリーリングすることができる。なお、スピナーブレード１４０、１５０、１６０はリーリングされる際に、スイベルやクレビスを介してその場で回転したり、リーリングにより揺動したりし、集魚効果を発揮することができる。
【００４９】
このように３か所においてスピナーブレードを配置することができ、各々のスピナーブレードは適度に離隔しているので、互いに干渉し合うことなく、３枚のスピナーブレードが水中において自在に回転したり揺動したりすることができる。
【００５０】
さらに、本発明のスピナーベイト１００は、川など水の流れがある状態でも比較的姿勢が安定しやすいように工夫されている。
図４は、川など水の流れがある場所で、本発明のスピナーベイト１００をリーリングする際の水の通り抜けを簡単に示す図である。川などの水流の方向に対して交差するようにリーリングする場合、リーリングで引かれてゆく本発明のスピナーベイト１００に対して横方向や斜め方向から水流が当たることとなる。図４では水流は紙面奥から紙面手前に流れているものとし、便宜上矢印により示している。また、リーリングによって引っ張る方向は図中右から左方向となっている。
【００５１】
ここで、本発明のスピナーベイト１００のヘッド１２０にはフック１３０と疑似餌１３１と第３のスピナーブレード１６０を適度に離して設けるため、ある程度の大きさが必要であるが、二股構造としてその中央部分から水流が抜けてゆく構造となっている。つまり、図４に示すように、二股の間から川の水流が抜けて下流側に流れてゆく。
【００５２】
もし、本発明のスピナーベイト１００のヘッド１２０が二股構造ではなく、板状の構造である場合、水流にあたると水が抜けず、水流から大きな抵抗を受けることとなり、抵抗が小さくなるように、板状のヘッド１２０が水流に対して平行になるように姿勢が変化する。しかし、一方、ヘッド部１２０において重心が集中している他端側部材１２０ｂが下側に位置しようとするため、水流の流れの変化、ヘッド部１２０が水流から受ける抵抗力の変化、ヘッド部１２０の重心の大きさなどの条件により、揺動するおそれがある。
本発明のスピナーベイト１００では、ヘッド部１２０股の間から水流が抜けやすいように工夫されているため、水流から受ける抵抗は比較的小さく、ヘッド１２０が水流に対して姿勢が変化しにくいという効果が得られる。
【００５３】
以上、実施例１のスピナーベイト１００によれば、屈曲形成したヘッド部１２０を採用することにより、コンパクトな構成においてヘッド部１２０の両先端において十分な距離を保つことができ、その両端の一方にフック１３０と疑似餌１３１を設け、他方に第３のスピナーブレード１６０を設けるという構成が可能となる。
【００５４】
また、本発明は、いわゆる二股に分かれているヘッド部の構成としつつ、ヘッド部を異なる２種類の素材からなる部材をつなぎ合わせたものであるハイブリッド型のヘッド部とすることにより、重心の位置をヘッド部の一方に偏らせることができ、重心の位置が安定し、スピナーベイト全体の水中での姿勢の安定、水中での泳動状態、空中での姿勢の安定が得られる。
【実施例２】
【００５５】
次に、実施例２として、実施例１のスピナーベイト１００とは異なる部材構成とした例を説明する。
実施例１のスピナーベイト１００の構成例としては、ワイヤフレームの他端側への略延長方向に、ヘッド部の他端側に取り付けられている第３のスピナーブレードを配置する構成であった。
この実施例２のスピナーベイト１００ａは、ワイヤフレームの他端側１１３への略延長方向に、ヘッド部１２０の一端側１２２のフック１３０を配置する構成である。
【００５６】
図５は、実施例２のスピナーベイト１００ａの構成を簡単に示した図である。図２と比べて、ヘッド部１２０の第３のブレード１６０の取り付け位置とフック１３０および疑似餌１３１の取り付け位置が入れ替わったものとなっている。
【００５７】
なお、一端側部材１２０ａがプラスチックなどの軽い第１の素材で形成され、他端側部材１２０ｂが鉄などの重い第２の素材で形成されている点は実施例１と同様であり、空中および水中での重心の安定という点は実施例１と同様である。
【００５８】
他の構成についても、実施例１と同様の部分に関する説明は省略する。
以上、実施例２のスピナーベイト１００ａの構成によっても、コンパクトな構成においてヘッド部１２０の両先端において十分な距離を保つことができ、その両端の一方にフック１３０と疑似餌１３１を設け、他方に第３のスピナーブレード１６０を設けるという構成が可能となる。
また、本発明は、いわゆる二股に分かれているヘッド部の構成としつつ、ヘッド部を異なる２種類の素材からなる部材をつなぎ合わせたものであるハイブリッド型のヘッド部とすることにより、重心の位置をヘッド部の一方に偏らせることができ、重心の位置が安定し、スピナーベイト全体の水中での姿勢の安定、水中での泳動状態、空中での姿勢の安定が得られる。
【実施例３】
【００５９】
次に、実施例３として、実施例１のスピナーベイト１００、実施例２のスピナーベイト１００ａとは異なる部材構成とした例を説明する。
実施例３のスピナーベイト１００ｂは、第３のスピナーブレード１６０ではなく、第２の疑似餌１３０ｂを設けた構成例である。
【００６０】
実施例３のスピナーベイト１００ｂでも、屈曲形成したヘッド部１２０を採用することによってコンパクトな構成においてヘッド部１２０の両先端において十分な距離を保つことができるため、その両端の一方に第１のフック１３０ａと第１の疑似餌１３１ａを設け、他方に第２のフック１３０ｂと第２の疑似餌１３１ｂを設けるという構成が可能となる。
【００６１】
図６は、実施例３のスピナーベイト１００ｂの構成例を簡単に示す図である。図２と比べて、ヘッド部１２０の第３のブレード１６０に替えて第２のフック１３０ｂおよび第２の疑似餌１３１ｂを取り付けたものとなっている。
第１のフック１３０ａおよび第１の疑似餌１３１ａに加えて、第２のフック１３０ｂおよび第２の疑似餌１３１ｂを取り付けることにより、集魚された対象魚が第１のフック１３０ａまたは第２のフック１３０ｂのいずれかにヒットする可能性が高くなり、また、集魚された対象魚が第１のフック１３０ａまたは第２のフック１３０ｂの両方に同時にヒットする可能性もある。
【００６２】
なお、一端側部材１２０ａがプラスチックなどの軽い第１の素材で形成され、他端側部材１２０ｂが鉄などの重い第２の素材で形成されている点は実施例１と同様であり、空中および水中での重心の安定という点は実施例１と同様で良い。
【００６３】
他の構成についても、実施例１と同様の部分に関する説明は省略する。
以上、実施例３のスピナーベイト１００ｂの構成によっても、コンパクトな構成においてヘッド部１２０の両先端において十分な距離を保つことができ、その両端の一方に第１のフック１３０ａと第１の疑似餌１３１ａを設け、他方に第２のフック１３０ｂと第２の疑似餌１３１ｂを設けるという構成が可能となる。
【００６４】
以上、本発明のスピナーベイトの構成例における好ましい実施例を図示して説明してきたが、本発明の技術的範囲を逸脱することなく種々の変更が可能であることは理解されるであろう。
【産業上の利用可能性】
【００６５】
本発明のスピナーベイトは、ブラックバスをはじめ、サケ、マス等を対象魚としたいわゆる投げ釣りのルアー仕掛けとして広く使用することができる。
【図面の簡単な説明】
【００６６】
【図１】本発明のスピナーベイト１００全体の構成を模式的に示した図である（疑似餌の図示を省略したもの）。
【図２】本発明のスピナーベイト１００全体の構成を模式的に示した図である（疑似餌も図示したもの）。
【図３】陸上にいるユーザが本発明のスピナーベイト１００を竿から投げ出した際の空中姿勢を簡単に説明する図である。
【図４】陸上にいるユーザが水中に沈んだ本発明のスピナーベイト１００をリーリングした際の水中の姿勢を簡単に説明する図である。
【図５】実施例２のスピナーベイト１００ａの構成を簡単に示した図である。
【図６】実施例３のスピナーベイト１００ｂの構成例を簡単に示す図である。
【図７】従来型のスピナーベイト１０の構成例を簡単に示す図である。
【符号の説明】
【００６７】
１００  スピナーベイト
１１０  ワイヤフレーム
１２０  ヘッド部
１３０  フック
１３０ａ  第１のフック
１３０ｂ  第２のフック
１３１  疑似餌
１３１ａ  第１の疑似餌
１３１ｂ  第２の疑似餌
１４０  第１のスピナーブレード
１５０  第２のスピナーブレード
１６０  第３のスピナーブレード
【要約】
【課題】より多い枚数のスピナーブレードを搭載した新しく優れたスピナーベイトを提供する。
【解決手段】屈曲形成されたワイヤフレーム１１０と、ワイヤフレーム１１０の一端側１１２に取り付けた少なくとも１枚の第１のスピナーブレード１４０と、ワイヤフレーム１１０の他端側１１３に取り付けたヘッド部１２０と、ヘッド部１２０に設けたフック１３０と、ワイヤフレーム１１０の中間部分に設けた第２のスピナーブレード１５０を備えたスピナーベイト１００において、ヘッド部１１０が屈曲形成され、屈曲部１１１においてワイヤフレーム１１０の他端側１１３と接続されている。ヘッド部１１０は二股に分かれ、一端側部材１２０ａにはフック１３０と疑似餌１３１が取り付けられ、他端側部材１２０ｂには第３のブレード１６０が設けられている。
【選択図】図１【図１】
0004820926.tif 000002
【図２】
0004820926.tif 000003
【図３】
0004820926.tif 000004
【図４】
0004820926.tif 000005
【図５】
0004820926.tif 000006
【図６】
0004820926.tif 000007
【図７】
0004820926.tif 000008